(57)【特許請求の範囲】
【請求項１】
伸縮延長管を起立状態で、横置き状態の掃除機本体に保持させる電気掃除機において、
前記吸口体の前後方向に回動可能な継手管の側面のうち、前記継手管の下面側でかつ前記継手管内に形成される流路の側面から見た投影図において前記流路の外郭よりも内側に、前記伸縮延長管を起立状態で前記掃除機本体に保持させるための係止部材を形成したことを特徴とする電気掃除機。
【請求項２】
電動送風機及び集塵部を有する掃除機本体と、一端が前記掃除機本体に接続可能なホースと、一端が前記ホースの他端に接続可能な手元操作部と、一端が前記手元操作部の他端に接続可能な伸縮延長管と、前記伸縮延長管の他端に接続可能な吸口体とを備えた電気掃除機において、
前記伸縮延長管と前記吸口体が、前記吸口体に設けた係止部材が前記掃除機本体に設けた本体係止部に取り付けられることによって起立状態で前記掃除機本体に保持可能であり、
前記本体係止部の上部に、支持部を配置し、
該支持部は、前記伸縮延長管が起立状態で前記伸縮延長管あるいは前記伸縮延長管と前記吸口体との間に接続される補助吸口に当接することを特徴とする電気掃除機。
【請求項３】
前記係止部材は、前端部と後端部が円弧状に形成されることを特徴とする請求項１または２に記載の電気掃除機。
【発明の詳細な説明】
【技術分野】
【０００１】
本発明は、電気掃除機本体の走行車輪および案内車輪を接地させた状態で吸口体、伸縮延長管やホースを電気掃除機本体に接続したまま、電気掃除機本体に取り付けることのできる電気掃除機に関するものである。
【背景技術】
【０００２】
電気掃除機本体の走行車輪および案内車輪を接地させた横置き状態で、吸口体と伸縮延長管やホースを掃除機本体に取り付けることができる電気掃除機は、例えば、特開平３−７７５１６号公報（特許文献１）や特開２０１０−５１３５７号公報（特許文献２）に記載されている。
【０００３】
特許文献１に示される電気掃除機は、伸縮延長管または吸口体が、互いに平行又はほぼ平行なＬ字型の係止部材が設けられた連結装置により、電気掃除機本体に設けられた互いに平行なＬ字型の保持側壁と背後から連結する。また、前記係止部材のフランジ部はウェブにより、前記フランジ部と反対側の面と固く連結される構成となっている。
【０００４】
特許文献２に示される電気掃除機は、上ケースにリング状の係合部が設けられ、延長パイプにＬ字形状の係止子が設けられ、延長パイプが起立した状態で、係止子が係合部に係合して、延長パイプの起立が保たれる構成となっている。
【先行技術文献】
【特許文献】
【０００５】
【特許文献１】特開平３−７７５１６号公報
【特許文献２】特開２０１０−５１３５７号公報
【発明の概要】
【発明が解決しようとする課題】
【０００６】
特許文献１に記載の発明によると、吸口体と伸縮延長管に接続可能な連結装置に係止部材を形成している。しかしながら、互いに平行なＬ字型の前記係止部材のフランジ部は、ウェブにより前記フランジ部の反対側の面と接続しているため、前記フランジ部が伸縮延長管や吸口体の管部より大きく突出してしまい、狭い空間（例えば、ベッドの下の空間）の清掃時の障害となったり、本体係止部の構造が大きくなったりしてしまう。
【０００７】
特許文献２に記載の発明でも、Ｌ字形状の係止子が延長パイプより大きく突出してしまい、狭い空間の清掃時の障害となったり、本体係止部の構造が大きくなったりしてしまう。
【０００８】
本発明の目的は、伸縮延長管を起立状態で、横置き状態の掃除機本体に保持させることができる係止部材を、狭い空間の清掃における性能を損なうことなく構成した電気掃除機を提供することにある。
【課題を解決するための手段】
【００１０】
上記目的を達成するために本発明の特徴とするところは、吸口体の前後方向に回動可能な継手管の側面のうち、継手管の下面側でかつ継手管内に形成される流路の側面から見た投影図において流路の外郭よりも内側に、伸縮延長管を起立状態で掃除機本体に保持させるための係止部材を形成したことにある。
【００１１】
上記目的を達成するために本発明の特徴とするところは、前記本体係止部の上部に、支持部を配置し、該支持部は、前記伸縮延長管が起立状態で前記伸縮延長管あるいは前記伸縮延長管と前記吸口体との間に接続される補助吸口に当接することにある。
【００１３】
そして、好ましくは、係止部材の前端部と後端部を円弧状に形成した。好ましくは、継手管または第２の継手管の係止部材よりも前部を、係止部材から継手管の上面側に向かって傾斜したことにある。
【発明の効果】
【００１４】
本発明によると、係止部材を、吸口体の開口部が被清掃面に対向した状態において、伸縮延長管に接続された継手管の回動によって被清掃面と伸縮延長管の軸方向とのなす角度が１〜３.５度の範囲内の所定の角度になるまで伸縮延長管が傾斜可能な位置に形成したため、係止部材の継手管の下面側への突出量が伸縮延長管の突出量より低くなり、狭い空間の清掃における性能を損なうのを抑制できる。
【００１５】
また、本発明によると、吸口体の前後方向に回動可能な継手管の側面のうち、継手管の下面側でかつ継手管内に形成される流路の側面から見た投影図において流路の外郭よりも内側に、伸縮延長管を起立状態で掃除機本体に保持させるための係止部材を形成したことにより、係止部材の継手管の下面側への突出量を減らすことができるため、係止部材を小型化することができ、狭い空間の清掃における性能を損なうのを抑制できる。さらに、本体係止部から係止部材を抜き取る時の摺動動作を妨げるのを抑制できる。
【００１６】
また、本発明によると、本体係止部の上部に、伸縮延長管あるいは伸縮延長管と吸口体との間に接続される補助吸口に当接する支持部を配置したため、伸縮延長管を安定させ、係止部材を保持する掃除機本体のフック部にかかるモーメントを支えることができる。
【００１７】
また、本発明によると、係止部材を、第２の継手管の側面のうち、第２の継手管の軸方向が鉛直方向から約８０度曲げた場合にも吸口体本体および第１の継手管に接触しない位置に形成したため、吸口体を曲げた状態の清掃（例えば、壁際）における性能を損なうのを抑制できる。
【００１８】
また、本発明によると、係止部材の前端部と後端部を円弧状に形成し、または、継手管または第２の継手管の係止部材よりも前部を、係止部材から継手管の上面側に向かって傾斜したことにより、手元操作部に過大な負荷が加わった場合に係止部材が本体係止部から外れるため、係止部材あるいは本体係止部が破損するのを抑制できる。
【図面の簡単な説明】
【００１９】
【図１】本発明の実施例の電気掃除機の全体外観図。
【図２】本発明の実施例の伸縮延長管を起立状態で電気掃除機に保持させた場合の全体外観図。
【図３】本発明の実施例の伸縮延長管を被清掃面に近くなるまで傾斜させた場合の吸口体，伸縮延長管，手元操作部の外観図。
【図４】本発明の実施例の吸口体本体に対して後側継手管に接続された伸縮延長管を左右方向へ回動させた場合の吸口体，伸縮延長管の外観図。
【図５】本発明の実施例の吸口体の正面図。
【図６】本発明の実施例の吸口体の側面図。
【図７】本発明の実施例の吸口体の背面図。
【図８】本発明の実施例の本体係止部の外観図および断面図。
【図９】本発明の他の実施例の本体係止部の外観図。
【図１０】本発明の実施例の係止部材が本体係止部から外れる様子を示した断面図。
【発明を実施するための形態】
【００２０】
本発明は、係止部材を、吸口体の開口部が被清掃面に対向した状態において、伸縮延長管に接続された継手管の回動によって被清掃面と伸縮延長管の軸方向とのなす角度が１〜３.５度の範囲内の所定の角度になるまで伸縮延長管が傾斜可能な位置に形成したため、係止部材の継手管の下面側への突出量が伸縮延長管の突出量より低くなり、狭い空間の清掃における性能を損なうのを抑制できる。
【００２１】
また、本発明は、吸口体の前後方向に回動可能な継手管の側面のうち、継手管の下面側でかつ継手管内に形成される流路の側面から見た投影図において流路の外郭よりも内側に、伸縮延長管を起立状態で掃除機本体に保持させるための係止部材を形成したことにより、係止部材の継手管の下面側への突出量を減らすことができるため、係止部材を小型化することができ、狭い空間の清掃における性能を損なうのを抑制できる。さらに、本体係止部から係止部材を抜き取る時の摺動動作を妨げるのを抑制できる。
【００２２】
また、本発明は、本体係止部の上部に、伸縮延長管あるいは伸縮延長管と吸口体との間に接続される補助吸口に当接する支持部を配置したため、伸縮延長管を安定させ、係止部材を保持する掃除機本体のフック部にかかるモーメントを支えることができる。
【００２３】
また、本発明は、係止部材を、第２の継手管の側面のうち、第２の継手管の軸方向が鉛直方向から約８０度曲げた場合にも吸口体本体および第１の継手管に接触しない位置に形成したため、吸口体を曲げた状態の清掃（例えば、壁際）における性能を損なうのを抑制できる。
【００２４】
また、本発明は、係止部材の前端部と後端部を円弧状に形成し、または、継手管または第２の継手管の係止部材よりも前部を、係止部材から継手管の上面側に向かって傾斜したことにより、手元操作部に過大な負荷が加わった場合に係止部材が本体係止部から外れるため、係止部材あるいは本体係止部が破損するのを抑制できる。
【００２５】
以下、本発明の実施形態の一例を添付の図面に基づいて説明する。
【００２６】
図１は本発明の実施形態の一例に係る電気掃除機の全体外観図である。
【００２７】
この実施例における電気掃除機は、吸気口（本体吸気口）１０７を有する掃除機本体１０１と吸気口１０７にその一端が接続され連通するホース１０２とホース１０２の他端にその一端が接続され連通する手元操作部１０３と手元操作部１０３の他端にその一端が接続され連通する伸縮延長管１０４と伸縮延長管１０４の他端に接続され連通する吸口体１０５を備え、掃除機本体１０１と手元操作部１０３をホース１０２で接続し、この手元操作部１０３に伸縮延長管１０４を介して吸口体１０５を接続して使用する。手元操作部１０３と伸縮延長管１０４、伸縮延長管１０４と吸口体１０５、さらに手元操作部１０３及び伸縮延長管１０４及び吸口体１０５と補助吸口はそれぞれ着脱自在に接続されている。
補助吸口は、伸縮延長管１０４の前端または伸縮延長管１０４と吸口体１０５との間に接続されてもよいし、手元操作部１０３の前端または手元操作部１０３と伸縮延長管１０４との間に接続されてもよい。
【００２８】
吸口体１０５は、略Ｔ字形状を有する。吸口体１０５は、底面に開口を有する吸口体本体１０６と、伸縮延長管１０４に接続される継手管とを有する。継手管は、吸口体本体１０６に対して左右方向の軸によって前後回動可能に支持される前側継手管１１２と、前側継手管１１２に対して上下方向の軸によって左右回動可能に支持される後側継手管１１３とから構成される。よって、継手管は、前後方向に所定の角度範囲（被清掃面を基準に０〜１００度）および左右方向に所定の角度範囲（鉛直方向から左右それぞれ８０度）に回動可能である。後側継手管１１３に、伸縮延長管１０４が接続可能である。前側継手管１１２は、吸口体本体１０６の上側に接続され、後側継手管１１３の上側に接続されるため、継手管の軸方向を被清掃面に略平行にした状態では、前側継手管１１２の上面が吸口体１０５の中で最も高くなる。つまり、吸口体本体１０６の底面から前側継手管１１２の上面までの高さが、吸口体１０５の高さとなる。
【００２９】
伸縮延長管１０４は、吸口体１０５側に位置する前側延長管と手元操作部１０３側に位置する後側延長管とからなり、前側延長管が後側延長管内にスライド可能に挿入される。
前側延長管と後側延長管とが相互にスライドすることによって、伸縮延長管１０４は伸縮可能である。後側延長管の前側延長管の挿入端部には、前側延長管が後側延長管から抜けるのを防止する抜け止め機構や後側延長管に対する前側延長管のスライドをロックするロック機構があるため、後側延長管の前側延長管の挿入端部が、伸縮延長管１０４のなかで最も直径が大きい。特に、後側延長管の前側延長管の挿入端部が、伸縮延長管１０４のなかで下側への突出量も大きい。手元操作部１０３は、伸縮延長管１０４に接続される直管と、直管から分岐したハンドルとを有する。ハンドルは、使用者が手で握ることが可能である。手元操作部１０３のハンドルが形成された側を、上側とする。尚、伸縮延長管１０４に代わりに、伸縮しない延長管であってもよい。
【００３０】
掃除機本体１０１内の前側（ホース１０２が接続される側）には、吸気口１０７に連通する集塵室（図示せず）が配置され、さらに、その集塵室には、塵埃を捕集する集塵部１０９が着脱自在に配置される。集塵部１０９は、サイクロン式の集塵ケースであってもよいし、使い捨ての紙パックでもよい。掃除機本体１０１内の後側には、吸引力を発生する電動送風機１０８が配置される。掃除機本体１０１の底面の前側の左右方向略中央部には、１つの案内車輪１１１が形成され、掃除機本体１０１の側面の後側には、左右に２つの走行車輪１１０が形成される。掃除機本体１０１を横置きした状態では、走行車輪１１０と案内車輪１１１によって使用者は掃除機本体１０１を容易に移動できる。そして、手元操作部１０３に設けられた電源ボタンが使用者によってＯＮされると、電動送風機１０８が作動し、吸引力を発生する。吸口体１０５から吸い込まれた空気および空気と共に吸い込まれた塵埃は、伸縮延長管１０４，手元操作部１０３，ホース１０２，掃除機本体１０１の順に導かれる。
【００３１】
図２は本発明の実施形態の一例に係る電気掃除機の収納状態の全体外観図である。電気掃除機の使用状態では、掃除機本体１０１が走行車輪１１０と案内車輪１１１を接地させた横置きとなり、電気掃除機の収納状態では、掃除機本体１０１の後面を接地させた立位状態となるのが好ましい。図１に示すように、吸口体１０５の係止部材２０１を掃除機本体１０１後面の左右方向略中央部でかつ上下方向略中央部に設けた本体係止部３０１に係合させることにより、掃除機本体１０１が横置き状態のままホース１０２，伸縮延長管１０４，吸口体１０５を収納することができる。つまり、伸縮延長管１０４を起立状態で掃除機本体１０１に保持させることができる。このとき、吸口体１０５の底面は、被清掃面に対向（接地）しており、吸口体本体１０６に対して継手管（前側継手管１１２および後側継手管１１３）が起立状態に回動している。伸縮延長管１０４の起立状態とは、被清掃面に対して伸縮延長管１０４の軸方向が略９０度となった状態だけではなく、略９０度となった状態から前後に１０度程度まで傾斜した状態も含まれる。これによって、使用者は、電気掃除機の使用を一時中断した場合に、しゃがんで、手元操作部１０３，伸縮延長管１０４，吸口体１０５を被清掃面に置く必要がなく、また、電気掃除機の使用を再開する場合にも、しゃがんで、手元操作部１０３，伸縮延長管１０４，吸口体１０５を被清掃面から持ち上げる必要がなくなるため、使用者の負担を軽減することができる。尚、本体係止部３０１は、掃除機本体１０１の後面に代えてまたは加えて、掃除機本体１０１の側面に形成してもよい。
【００３２】
図３は被清掃面と伸縮延長管１０４のなす角度αを示した外観図である。図３中、斜線部が被清掃面（例えば、床面）である。係止部材２０１は、吸口体１０５の継手管の側面のうち下面側に形成される。係止部材２０１は、被清掃面と伸縮延長管１０４の軸方向のなす角度αが略１００度から所定の角度（１〜３.５度の範囲内の何れかの角度）までの範囲内にて形成する。吸口体１０５の開口が被清掃面に対向（接地）した状態において、伸縮延長管１０４の軸方向が被清掃面と平行になる方向へ傾斜させていくと、伸縮延長管１０４のうち最も直径の大きい後側延長管の前側延長管の挿入端部が被清掃面に接地する。接地した状態が、角度αの下限値となる。係止部材２０１が、下側に突出していると、後側延長管の前側延長管の挿入端部が被清掃面に接地する以前に、係止部材２０１が被清掃面に接地し、係止部材２０１が接地した状態が、角度αの下限値となる。本実施例では、係止部材２０１の下側への突出量を、後側延長管の前側延長管の挿入端部の下側への突出量よりも小さくしているので、後側延長管の前側延長管の挿入端部が被清掃面に接地する以前には、係止部材２０１が被清掃面に接地しない。本実施例では、吸口体１０５の外郭側面に係止部材２０１を設けることにより、被清掃面と伸縮延長管１０４のなす角度αの下限値が３.５度となった。図３は、伸縮延長管１０４が最も縮んだ状態である。伸縮延長管１０４を伸ばした状態では、伸縮延長管１０４のうち最も直径の大きい後側延長管の前側延長管が、前後方向の回動支点から遠ざかるので、角度αの下限値が３.５度よりも小さくなる。これによって、係止部材２０１の下側への突出量が伸縮延長管１０４，吸口体１０５，手元操作部１０３の突出量より低くなり、狭い空間の清掃における性能を損なうことがない。尚、係止部材２０１は、伸縮延長管１０４の側面や補助吸口の側面に設けてもよい。
【００３３】
図４は鉛直方向と後側継手管１１３に接続された伸縮延長管１０４の軸方向がなす角度βを示した外観図である。係止部材２０１は、軸方向では、後側継手管１１３のうち前側継手管１１２との連結部から遠い側に形成される。よって、図４に示すように、伸縮延長管１０４の鉛直方向と軸方向がなす角度βが左方向と右方向のそれぞれに約８０度になるよう前側継手管１１２に対して後側継手管１１３を曲げた状態で、後側継手管１１３に設けた係止部材２０１は、吸口体１０５中央の流路側面（吸口体本体１０６と前側継手管１１２との連結部）に接触しない。さらに、本実施例では、係止部材２０１の高さＬ１を２４mm以下にした。これにより、伸縮延長管１０４の鉛直方向と軸方向がなす角度βが約８０度になるよう曲げて使用した場合にも、係止部材２０１が吸口体１０５に接触しないため、吸口体１０５を曲げた状態の清掃における性能を損なうことなく係止部材２０１を形成することができる。
【００３４】
図５，図６，図７のそれぞれは係止部材２０１の正面図と側面図と背面図である。図５，図７に示すように、係止部材２０１は、後側継手管１１３の左右２つの側面のそれぞれに形成され、後側継手管１１３の側面から左右外側に突出した略半月形状の板状部材で構成される。図６中に示した前後方向および上下方向は、継手管を基準とした方向である。
後側継手管１１３の後部は、前部よりも直径が小さく形成されており、後側継手管１１３の後部が伸縮延長管１０４内に挿入されることによって後側継手管１１３が伸縮延長管１０４に接続される。係止部材２０１と本体係止部３０１が連結状態のとき、手元操作部１０３の左右方向に過大な負荷が加わった場合に、係止部材２０１が本体係止部３０１から外れるように係止部材２０１の前側および後側の両端面は円弧形状（Ｒ１，Ｒ２）になっている。これによって、手元操作部１０３の左右方向に過大な負荷が加わった場合に、係止部材２０１が本体係止部３０１から外れるため、係止部材２０１あるいは本体係止部３０１が破損するのを防止できる。また、係止部材２０１の前側端面を円弧形状としたことによって、係止部材２０１を本体係止部３０１にスライドして挿入する際に、挿入しやすくなる。係止部材２０１の下部側Ｒ１は上部側Ｒ２の約１.７倍（例えば、Ｒ１＝３０，Ｒ２＝１８）となる寸法関係となっている。係止部材２０１の下部側Ｒ１は、上部側Ｒ２よりも曲率を大きい。係止部材２０１の両端面の円弧形状Ｒ１，Ｒ２をそれぞれ大きくしていくと、本体係止部３０１との間隔が広くなり、本体係止部３０１から外れやすくなる。さらに、Ｒ１，Ｒ２をそれぞれ小さくしていくと、本体係止部３０１との間隔が狭くなるため、手元操作部１０３の左右方向に過大な負荷が加わった場合に、係止部材２０１が本体係止部３０１から外れなくなる。
【００３５】
また、図６に示すように、係止部材２０１は、後側継手管１１３の側面のうち下側に形成される。係止部材２０１の形成方向に関しては、左右２つの係止部材２０１の側面は図５に示すように伸縮延長管１０４の軸方向から約１度ハの字状に傾け、係止部材２０１の正面（上面）と背面（下面）は図６に示すように伸縮延長管１０４の軸方向と略平行になるよう形成した。係止部材２０１は強度向上のため流路外郭側のほうが太くなる台形形状とした。つまり、係止部材２０１の厚さは、突出している根元から先端に向かって次第に細くなるように形成した。左右２つの係止部材２０１の側面をハの字状に傾けることにより、手元操作部１０３の左右方向に過大な負荷が加わった場合に、本体係止部３０１の内壁に係止部材２０１の円弧部分が当接するため、摺動時の抵抗を減少させることができる。さらに、係止部材２０１の背面は、後側継手管１１３の流路の外郭の外周２０３より１mm程度内側（上面側）に伸縮延長管１０４の軸方向と平行になるよう形成し、後側継手管１１３の流路の傾斜面２０２に接続した。これにより係止部材２０１は、手元操作部１０３に掃除機本体１０１側とは逆の方向に過大な負荷が加わった際の後側継手管１１３の傾斜面２０２と本体係止部３０１の内壁の摺動動作をさまたげない。つまり、後側継手管１１３の係止部材２０１よりも前側が傾斜していない場合は（傾斜面２０２がない場合は）、後側継手管１１３の係止部材２０１よりも前側が本体係止部３０１の内壁に接触して拘束されるため、係止部材２０１と本体係止部３０１に負荷がかかり、係止部材２０１あるいは本体係止部３０１が破損する。これに対して、後側継手管１１３の係止部材２０１よりも前側が傾斜している場合は（傾斜面２０２がある場合は）、後側継手管１１３の係止部材２０１よりも前側が本体係止部３０１の内壁に接触しながら滑るため、係止部材２０１が本体係止部３０１の上方へ移動しやすく、係止部材２０１が本体係止部３０１から外れやすくなる。つまり、後側継手管１１３の傾斜面２０２は、本体係止部３０１に対して係止部材２０１が移動する際のガイドの役割を果たす。前側継手管１１２と後側継手管１１３とは上下方向に連結されているため、後側継手管１１３内に形成される流路は、上下方向から軸方向へ転向する際に圧力損失が少なくなるように曲線で形成されている。曲線で形成された流路の外殻形状が傾斜面２０２を形成することとなる。傾斜面２０２は、円弧状に形成されるのが好ましいが、直線状に形成されてもよい。また、左右方向では係止部材２０１が後側継手管１１３の流路の外郭の外周２０３より外側に突出しているが、上下方向では係止部材２０１が後側継手管１１３の流路の外郭の外周２０３より１mm程度内側に形成したことにより、係止部材２０１が後側継手管１１３の流路の外郭の外周２０３よりも半径方向外側（下側）に突出しないので、被清掃面と伸縮延長管１０４のなす角度αの下限値を小さくできる。ここで、後側継手管１１３の流路の外郭の外周２０３より１mm程度内側とは、後側継手管１１３の流路の側面から見た投影図において、流路の外殻の外周２０３よりも１mm程度流路の中心に近い側をいう。また、流路の外殻とは、１mm程度の厚さの円筒部材で構成され、外殻の外周とは、その円筒部材の最外周をいう。さらに、係止部材２０１の正面を伸縮延長管１０４の軸方向と平行に形成することにより、手元操作部１０３に掃除機本体１０１側とは逆の方向に過大な負荷が加わった場合に、係止部材２０１が本体係止部３０１から外れるまでスムーズに摺動動作させることができる。ここで、係止部材２０１正面をハの字状に傾けた場合、係止部材２０１と本体係止部３０１との間隔が広くなり、係止部材２０１が本体係止部３０１に当接しにくくなる。さらに、逆ハの字状に傾けた場合は、吸口体１０５の傾斜面２０２の当接面から係止部材２０１の当接面までの距離が大きくなってしまうため、本体係止部３０１，フック部３０３が大型化する。
【００３６】
図８は本体係止部３０１の外観図となる。図８（ｂ）は、本体係止部３０１を正面から見た図（正面図）であり、図８（ａ）は、図８（ｂ）のＣ−Ｃ断面（上下方向の断面）図であり、図８（ｄ）は、本体係止部３０１を上から見た図（平面図）である。図８（ｃ）は、図８（ｂ）のＤ−Ｄ断面（左右方向の断面）図である。本体係止部３０１は、図８（ｂ）に示すように、上部に支持部３０２、下部にフック部３０３を設けた。本体係止部３０１は掃除機本体１０１の後面に取付部３０７を介して取り付けることにより、ホース１０２，手元操作部１０３，伸縮延長管１０４，吸口体１０５、の重量を支える。支持部３０２は伸縮延長管１０４の円弧状の外周と当接するように上下方向の断面が円弧状の凹部３０５を有する。支持部３０２に凹部３０５を設けることにより、伸縮延長管１０４を起立状態で保持した場合に伸縮延長管１０４の左右方向のがたつきを抑制することができる。また、支持部３０２に２つの突起を設け、伸縮延長管１０４を保持し、伸縮延長管１０４及び吸口体１０５の左右方向のがたつきを抑制してもよい。支持部３０２は、伸縮延長管１０４，吸口体１０５が、被清掃面と伸縮延長管１０４の軸方向が鉛直状態から掃除機本体１０１側に３〜５度程度傾いた状態に保持する位置に凹部３０５を形成する。また、伸縮延長管１０４と支持部３０２下端までの高さは、フック部３０３にかかる負荷を軽減するため、フック部３０３高さと同寸以上とするのが好ましい。
【００３７】
本体係止部３０１のフック部３０３は、図８（ａ）に示すように左右対称に設けたフランジ部３０６から構成されている。フランジ部３０６は、上下方向の断面が略コの字形状を有する。フランジ部３０６内に形成される空間に、係止部材２０１が挿入される。フランジ部３０６内に形成される空間は、係止部材２０１の外周形状に対応し、２つのフランジ部３０６間の距離は、２の係止部材２０１間の距離に対応する。係止部材２０１と本体係止部３０１が連結状態のとき、手元操作部１０３の左右方向に過大な負荷が加わった場合に、係止部材２０１が本体係止部３０１から外れるように本体係止部３０１のフランジ部３０６の上部は円弧形状（Ｒ３）下部は面取り形状（γ）になっている。フック部３０３のフランジ部３０６の上部Ｒ３はフック部３０３の高さ寸法の約１／４となる。一方、フック部３０３のフランジ部３０６の下部のγは約６０度となる。フック部３０３のフランジ部３０６の両端面の形状Ｒ３，γをそれぞれ大きくしていくと、がたつきが大きくなり、外れやすくなる。さらに、Ｒ３，γをそれぞれ小さくしていくと、手元操作部１０３の左右方向に過大な負荷が加わった場合に、係止部材２０１が本体係止部３０１から外れなくなる。
【００３８】
図８（ｃ）に示すように、支持部３０２の後面とフック部３０３の後面との間には、段差を設けてある。つまり、フック部３０３の後面に対して支持部３０２の後面が低くなっている。この段差の上に後側継手管１１３に形成される半円環状の突起２０４が乗ることによって、伸縮延長管１０４および吸口体１０５が下側に落ちるのを防止できる。さらに、フック部３０３に後側継手管１１３の外周に当接するよう、左右方向の中心を基準として左右方向に２つの吸口係止リブ３０４を設けた。これにより、後側継手管１１３の凸部と本体係止部材３０１のフック部３０３の上面が接触しない場合も、吸口体１０５の脱落を防止できる。
【００３９】
図９は、本体係止部３０１の他の実施例の外観図となる。吸口係止リブ３０４を、図８では２つの突起形状としたが、図９では、円弧状の１つの凹形状とした。図９に示した吸口係止リブ３０４でも、後側継手管１１３の凸部と本体係止部材３０１のフック部３０３の上面が接触しない場合も、吸口体１０５の脱落を防止できる。
【００４０】
図１０は手元操作部１０３に過大な負荷が加わった時に、係止部材２０１が本体係止部３０１から外れる様子を示した断面図である。掃除機本体１０１が横置きの状態で、係止部材２０１と本体係止部３０１を連結させた場合、本体係止部３０１の支持部３０２の凹部３０５と伸縮延長管１０４の下面が当接し、さらに、吸口体１０５の後側継手管１１３の凸部と本体係止部材３０１のフック部３０３の上面が当接することにより、吸口体１０５および伸縮延長管１０４の脱落を防止している（図１０（ａ））。使用者が手元操作部１０３を持って掃除機本体１０１から吸口体１０５および伸縮延長管１０４を取り外そうとして手元操作部１０３に掃除機本体１０１とは逆の方向に過大な負荷が加わった時、係止部材２０１の上端が下端に対して、掃除機本体１０１の前後方向を基準とする後側へ傾き、係止部材２０１の上側が、フランジ部３０６の内側にあるＡ面の上端に接触し、後側継手管１１３の傾斜面２０２の上部がフック部３０３のＢ面の下端に接触する（図１０（ｂ））。伸縮延長管１０４の傾きが大きくなるにつれ、係止部材２０１はフランジ部３０６のＡ面の上部に当接し、傾斜面２０２はフック部３０３のＢ面の下端に当接しながら摺動し、伸縮延長管１０４が鉛直方向から約２０度以上傾いたとき、係止部材２０１が本体係止部３０１から外れる（図１０（ｃ））。これによって、使用者は、手元操作部１０３を持って掃除機本体１０１の前後方向を基準とする後側へ倒しながら、掃除機本体１０１から吸口体１０５および伸縮延長管１０４を取り外すことができるので、手元操作部１０３を持って鉛直方向に引っ張り上げて掃除機本体１０１から吸口体１０５および伸縮延長管１０４を取り外す場合に比較して、小さい力で掃除機本体１０１から吸口体１０５および伸縮延長管１０４を取り外すことができるため、使用者の負担を軽減することができる。
【００４１】
以上のように本実施例によれば、係止部材２０１を吸口体１０５の流路側面の外縁よりも内側に設けたので、狭い空間の清掃や吸口体１０５を曲げた状態の清掃における性能を損なうことがない。また、係止部材２０１を吸口体１０５の流路側面の外縁よりも内側に設けたので、本体係止部３０１から係止部材２０１を抜き取る時、流路の外郭が本体係止部３０１の内壁に当接し、摺動動作の支点となる。また、本体係止部３０１に支持部３０２を設けることにより、伸縮延長管１０４のぐらつきを抑制し、フック部３０３にかかるモーメントを支えることができる。また、係止部材２０１，本体係止部３０１それぞれに、係止部材２０１が本体係止部３０１と連結している状態で、手元操作部１０３に過大な負荷が加わった場合に、係止部材２０１が本体係止部３０１から外れる形状にしたため、係止部材２０１，本体係止部材３０１が破損することはない。
【符号の説明】
【００４２】
１０１  掃除機本体
１０２  ホース
１０３  手元操作部
１０４  伸縮延長管
１０５  吸口体
１０６  吸口体本体
１０７  吸気口
１０８  電動送風機
１０９  集塵部
１１０  走行車輪
１１１  案内車輪
１１２  前側継手管
１１３  後側継手管
２０１  係止部材
２０２  傾斜面
２０３  流路の外郭の外周
２０４  突起
３０１  本体係止部
３０２  支持部
３０３  フック部
３０４  吸口係止リブ
３０５  凹部
３０６  フランジ部
３０７  取付部
【図１】
0005537274.tif 000002
【図２】
0005537274.tif 000003
【図３】
0005537274.tif 000004
【図４】
0005537274.tif 000005
【図５】
0005537274.tif 000006
【図６】
0005537274.tif 000007
【図７】
0005537274.tif 000008
【図８】
0005537274.tif 000009
【図９】
0005537274.tif 000010
【図１０】
0005537274.tif 000011